(57)【要約】本発明は、広帯域無線接続システムに係り、より詳細には、中継局で効率的に基地局のシステム情報を更新する方法及びそれを行うための装置に関するものである。本発明の一実施例による広帯域無線接続システムにおいて中継局（ＡＲＳ）の基地局（ＡＢＳ）システム情報更新方法は、前記基地局システム情報の変更情報を含む第１メッセージを前記基地局から受信する段階と、前記第１メッセージの受信確認のための第２メッセージを前記基地局に伝送する段階と、前記変更情報を適用する段階と、を含むことができる。【選択図】図６
2013502871.tif 000002
【特許請求の範囲】
【請求項１】
広帯域無線接続システムにおいて中継局（ＡＲＳ）の基地局（ＡＢＳ）システム情報更新方法であって、
前記基地局システム情報の変更情報を含む第１メッセージを前記基地局から受信する段階と、
前記第１メッセージの受信確認のための第２メッセージを前記基地局に伝送する段階と、
前記変更情報を適用する段階と、を含む、システム情報更新方法。
【請求項２】
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含む、請求項１に記載のシステム情報更新方法。
【請求項３】
前記各サブパケットの更新情報は、
該当のサブパケットの更新情報が適用される時点をスーパーフレーム単位で指示するスーパーフレームナンバーアクションフィールドを含み、
前記変更情報を適用する段階は、
前記各サブパケット別に前記ナンバーアクションフィールドが指示する時点に行われることを特徴とする、請求項２に記載のシステム情報更新方法。
【請求項４】
前記第１メッセージは、
前記システム情報の変更がある度にイベントトリガー（ｅｖｅｎｔ−ｔｒｉｇｇｅｒｅｄ）方式によって伝送されることを特徴とする、請求項１に記載のシステム情報更新方法。
【請求項５】
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、請求項１に記載のシステム情報更新方法。
【請求項６】
広帯域無線接続システムにおいて基地局（ＡＢＳ）が中継局にシステム情報の変更を知らせる方法であって、
前記基地局システム情報の変更情報を含む第１メッセージを前記中継局に伝送する段階と、
前記第１メッセージの受信確認のための第２メッセージを前記中継局から受信する段階と、を含む、システム情報更新方法。
【請求項７】
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含み、
前記各サブパケットの更新情報は、
該当のサブパケットの更新情報が適用される時点をスーパーフレーム単位で指示するスーパーフレームナンバーアクションフィールドを含む、請求項６に記載のシステム情報更新方法。
【請求項８】
前記第１メッセージは、
前記システム情報の変更がある度にイベントトリガー（ｅｖｅｎｔ−ｔｒｉｇｇｅｒｅｄ）方式によって伝送されることを特徴とする、請求項６に記載のシステム情報更新方法。
【請求項９】
前記第２メッセージが前記中継局から受信されない場合、
前記第１メッセージを前記中継局に再伝送する段階をさらに含む、請求項６に記載のシステム情報更新方法。
【請求項１０】
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、請求項６に記載のシステム情報更新方法。
【請求項１１】
広帯域無線接続システムで動作する中継局（ＡＲＳ）において、
プロセッサと、
前記プロセッサの制御によって、外部と無線信号を送受信するための無線通信（ＲＦ）モジュールと、を含み、
前記プロセッサは、
基地局（ＡＢＳ）から受信される第１メッセージを通じて前記基地局システム情報の変更情報を獲得し、前記無線通信モジュールを制御して、前記第１メッセージの受信確認のための第２メッセージが前記基地局に伝送されるようにし、前記獲得した変更情報が適用されるように制御することを特徴とする、中継局。
【請求項１２】
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含む、請求項１１に記載の中継局。
【請求項１３】
前記各サブパケットの更新情報は、
該当のサブパケットの更新情報が適用される時点をスーパーフレーム単位で指示するスーパーフレームナンバーアクション（Ｎｕｍｂｅｒ  Ａｃｔｉｏｎ）フィールドを含み、
前記変更情報を適用する段階は、
前記各サブパケット別に前記ナンバーアクションフィールドが指示する時点に行われることを特徴とする、請求項１２に記載の中継局。
【請求項１４】
前記第１メッセージは、
前記システム情報の変更がある度にイベントトリガー（ｅｖｅｎｔ−ｔｒｉｇｇｅｒｅｄ）方式によって前記基地局から伝送されることを特徴とする、請求項１１に記載の中継局。
【請求項１５】
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、請求項１１に記載の中継局。
【発明の詳細な説明】
【技術分野】
【０００１】
本発明は、広帯域無線接続システムに係り、より詳細には、中継局で効率的に基地局のシステム情報を更新する方法及びそれを行うための装置に関するものである。
【背景技術】
【０００２】
次世代無線通信システムでは中継局（ＲＳ：Ｒｅｌａｙ  Ｓｔａｔｉｏｎ）が広く用いられると予想される。中継局（ＲＳ）の概念について簡単に説明すると、下記の通りである。
【０００３】
２００６年度のＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、米国電気電子学会）８０２．１６では、固定加入者端末を対象とする標準規格であるＩＥＥＥ  ８０２．１６−２００４と加入者端末の移動性を提供するための標準規格であるＩＥＥＥ  ８０２．１６ｅ−２００５の発刊後、現在、マルチホップリレー（ｍｕｌｔｉ−ｈｏｐ  ｒｅｌａｙ）という新しい主題の標準化プロジェクトが進行されている。
【０００４】
ＩＥＥＥ  ８０２．１６内のタスクグループｊ（Ｔａｓｋ  Ｇｒｏｕｐ  ｊ：ＩＥＥＥ  ８０２．１６ｊ）で担当しているこのプロジェクトは、２００６年５月に初の公式会議をして以来、２００６年７月の２回目の会議では、活用モデル（Ｕｓａｇｅ  Ｍｏｄｅｌ）、関連用語（Ｔｅｒｍｉｎｏｌｏｇｙ）、技術的要求事項（Ｔｅｃｈｎｉｃａｌ  Ｒｅｑｕｉｒｅｍｅｎｔ）に関して本格的に議論が始まった。以下、ＩＥＥＥ  ８０２．１６タスクグループｊを“８０２．１６ｊ”と略称する。
【０００５】
以下に説明される中継局の概念は、３ＧＰＰ  ＬＴＥ−Ａシステムで考慮している中継局に対しても実質的に同じ概念として使用され得る。また、他の多様な無線接続システムで同一または類似の機能を行う中継局は、本発明で説明する中継局と類似の概念として使用され得る。
【０００６】
８０２．１６ｊのＰＡＲ（Ｐｒｏｊｅｃｔ  Ａｕｔｈｏｒｉｚａｔｉｏｎ  Ｒｅｑｕｅｓｔ、プロジェクト承認要請）は、将来進行される標準化作業として、サービス地域の拡張（Ｃｏｖｅｒａｇｅ  Ｅｘｔｅｎｓｉｏｎ）及び性能強化（Ｔｈｒｏｕｇｈｐｕｔ  Ｅｎｈａｎｃｅｍｅｎｔ）の２つの目的を有している。
【０００７】
中継局は、２種類に大別することができ、透明（Ｔｒａｎｓｐａｒｅｎｔ）と不透明（Ｎｏｎ−Ｔｒａｎｓｐａｒｅｎｔ）形態の中継局が存在する。透明中継局は、全ての動作及び機能が中継局内に存在し、中継局が端末を管理する。その一方、不透明中継局は、マクロ基地局を介して、全ての動作及び機能を、マクロ基地局と端末との間で中継する役割を行う。
【０００８】
端末の立場では、透明中継局と不透明中継局とを区分せずに一つのマクロ基地局として取り扱い、動作に対する変化がないが、端末が中継局とマクロ基地局とを区別する機能はあり得る。
【０００９】
中継局を含むネットワークは、基地局（ＢＳ：Ｂａｓｅ  Ｓｔａｔｉｏｎ）、中継局（ＲＳ：Ｒｅｌａｙ  Ｓｔａｔｉｏｎ）及び端末（ＭＳ：Ｍｏｂｉｌｅ  Ｓｔａｔｉｏｎ）を含むことができる。端末は、基地局のセル領域の外でも中継局を介して無線信号を受信することができる。また、基地局のセル領域内にある端末に対しては中継局を介して高い水準の適応変調コーディング（ＡＭＣ：Ａｄａｐｔｉｖｅ  Ｍｏｄｕｌａｔｉｏｎ  ａｎｄ  Ｃｏｄｉｎｇ）方式を持つ高品質の経路を設定することができる。したがって、ユーザーは、同一の無線リソースを用いて全体システムの容量を増大する効果を得ることができる。
【００１０】
８０２．１６ｊプロジェクトによって作成される標準規格は、所定の要求事項がある。例えば、既存の８０２．１６−２００４と８０２．１６ｅ−２００５規格に基づいて具現された移動端末はいかなる機能も追加せずに中継局との通信が可能でなければならないとのことである。したがって、既存のシステムでは、中継局自体及び既存基地局に中継局を制御するための一部機能を追加する形態で、中継局の適用範囲が限定され得る。中継局に対する規格は、今後、標準化の核心事項になると予想される。
【００１１】
中継局は、物理階層及び媒体接近制御階層の動作を行う一種の加入者端末と見なすことができ、主に基地局によって制御されるが、必要な場合、中継局も所定の制御機能を有することができる。現在議論中の活用モデルには、固定中継局のみならず、特定地域に対する一時的なサービス提供のための移動中継局と自動車や地下鉄などに装着できる中継局などの多様な形態の中継局が考慮されている。
【００１２】
今後論議される代表的な技術的問題は、下記のようにまとめることができる。
【００１３】
１．基地局が自身の領域に存在する中継局を識別し、これらとの連結構造（ｔｏｐｏｌｏｇｙ）に関する情報を獲得して維持するための手順。
【００１４】
２．既存のＩＥＥＥ  ８０２．１６システムと互換性（ｂａｃｋｗａｒｄ  ｃｏｍｐａｔｉｂｉｌｉｔｙ）を有する移動端末と中継局との間の物理的な伝送フレーム構造の定義。
【００１５】
３．中継局間、あるいは中継局と基地局との間の移動性提供のための信号手順。
【００１６】
４．中継局の基地局への進入（ｎｅｔｗｏｒｋ  ｅｎｔｒｙ）手順及び移動端末の中継局を介した進入手順。
【００１７】
中継局は、端末ともデータ交換を行い、基地局ともデータ交換を行う。ところが、中継局と基地局は、互いに同期化が行われるので、同じ時点にシステム情報を放送する。したがって、中継局は、基地局がシステム情報を放送する時点に、自身も伝送モードで自身のシステム情報を放送するため、基地局のシステム情報を受信できないという問題点がある。また、上述したように、中継局は、基地局からデータを受信する区間があるため、このような区間を端末及び下位中継局に知らせる方法もまた要求される。
【発明の概要】
【発明が解決しようとする課題】
【００１８】
本発明は、上記のような一般的な技術の問題点を解決するために案出されたもので、本発明の目的は、中継局が效率的に基地局の変更されたシステム情報を獲得できる方法及びそのための装置を提供することにある。
【００１９】
本発明の他の目的は、中継局に付加的に要求されるシステム情報を端末及び下位中継局に效率的に伝送する方法及びそのための装置を提供することにある。
【００２０】
本発明で達成しようとする技術的課題は、以上で言及した技術的課題に制限されず、言及していない他の技術的課題は、下記の記載から、本発明の属する技術分野における通常の知識を有する者に明確に理解されるだろう。
【課題を解決するための手段】
【００２１】
上記のような一般的技術の問題点を解決するために、本発明の一実施例に係る広帯域無線接続システムにおいて中継局（ＡＲＳ）の基地局（ＡＢＳ）システム情報更新方法は、前記基地局システム情報の変更情報を含む第１メッセージを前記基地局から受信する段階と、前記第１メッセージの受信確認のための第２メッセージを前記基地局に伝送する段階と、前記変更情報を適用する段階と、を含むことができる。
【００２２】
この時、前記システム情報は、第１サブパケット、第２サブパケット及び第３サブパケットを含み、前記変更情報は、前記各サブパケットの更新情報を含むか否かをそれぞれ１ビットで指示するビットマップフィールドと、前記ビットマップフィールドで‘１’に設定されたビットに対応するサブパケットの更新情報と、を含むことができる。
【００２３】
また、前記各サブパケットの更新情報は、該当のサブパケットの更新情報が適用される時点をスーパーフレーム単位で指示するナンバーアクションフィールドを含み、前記変更情報を適用する段階は、前記各サブパケット別に前記ナンバーアクションフィールドが指示する時点に行われることが望ましい。
【００２４】
上記のような一般的技術の問題点を解決するために、本発明の他の実施例に係る広帯域無線接続システムにおいて基地局（ＡＢＳ）が中継局にシステム情報の変更を知らせる方法は、前記基地局システム情報の変更情報を含む第１メッセージを前記中継局に伝送する段階と、前記第１メッセージの受信確認のための第２メッセージを前記中継局から受信する段階と、を含むことができる。
【００２５】
この時、前記システム情報は、第１サブパケット、第２サブパケット及び第３サブパケットを含み、前記変更情報は、前記各サブパケットの更新情報を含むか否かをそれぞれ１ビットで指示するビットマップフィールドと、前記ビットマップフィールドで‘１’に設定されたビットに対応するサブパケットの更新情報と、を含み、前記各サブパケットの更新情報は、該当のサブパケットの更新情報が適用される時点をスーパーフレーム単位で指示するナンバーアクションフィールドを含むことができる。
【００２６】
また、前記第２メッセージが前記中継局から受信されない場合、前記第１メッセージを前記中継局に再伝送する段階をさらに含むことができる。
【００２７】
上記のような一般的技術の問題点を解決するために、本発明のさらに他の実施例に係る広帯域無線接続システムで動作する中継局（ＡＲＳ）は、プロセッサと、前記プロセッサの制御によって、外部と無線信号を送受信するための無線通信（ＲＦ）モジュールと、を含むことができる。ここで、前記プロセッサは、基地局（ＡＢＳ）から受信される第１メッセージを通じて前記基地局システム情報の変更情報を獲得し、前記無線通信モジュールを制御して、前記第１メッセージの受信確認のための第２メッセージが前記基地局に伝送されるようにし、前記獲得した変更情報が適用されるように制御することができる。
【００２８】
この時、前記システム情報は、第１サブパケット、第２サブパケット及び第３サブパケットを含み、前記変更情報は、前記各サブパケットの更新情報を含むか否かをそれぞれ１ビットで指示するビットマップフィールドと、前記ビットマップフィールドで‘１’に設定されたビットに対応するサブパケットの更新情報と、を含むことができる。
【００２９】
また、前記各サブパケットの更新情報は、該当のサブパケットの更新情報が適用される時点をスーパーフレーム単位で指示するナンバーアクション（Ｎｕｍｂｅｒ  Ａｃｔｉｏｎ）フィールドを含み、前記変更情報を適用する段階は、前記各サブパケット別に前記ナンバーアクションフィールドが指示する時点に行われることができる。
【００３０】
上述した各施例例で、前記第１メッセージは、前記システム情報の変更がある度にイベントトリガー（ｅｖｅｎｔ−ｔｒｉｇｇｅｒｅｄ）方式によって前記基地局から伝送されることが望ましい。
【００３１】
また、上述した各実施例で、前記第１メッセージは中継局必須システム情報（ＲＳ＿ＥＳＩ）メッセージで、前記第２メッセージはメッセージ肯定応答（ＡＡＩ＿ＭＳＧ−ＡＣＫ）メッセージであるのが望ましい。
【発明の効果】
【００３２】
本発明の各実施例によれば、次のような効果がある。
【００３３】
第１に、中継局は、必須システム情報メッセージを通じて效率的に基地局の変更されたシステム情報を獲得し、基地局が所望の時点にこれを適用することができる。
【００３４】
第２に、中継局に付加的に要求される領域情報、ホップ情報などのシステム情報を、端末に效率的に伝送することができる。
【００３５】
本発明で得られる効果は、以上に言及した効果に制限されず、言及していない他の効果は、下記の記載から、本発明の属する技術分野における通常の知識を有する者に明確に理解されるだろう。
【図面の簡単な説明】
【００３６】
【図１】一般的なＩＥＥＥ  ８０２．１６ｍシステムの周波数分割二重化（ＦＤＤ）による中継局と基地局のフレーム構造を示す図である。
【図２】時分割二重化（ＴＤＤ）による中継局と基地局のフレーム構造をそれぞれ示す図である。
【図３】本発明の一実施例に係るマップ領域を通じて中継局の領域情報を知らせる形態の一例を示す図である。
【図４】本発明の一実施例に係るマップ領域を通じて中継局の領域情報を知らせる形態の他の例を示す図である。
【図５】基地局とその下位中継局の網配置形態の一例を示す図である。
【図６】本発明の他の実施例に係る中継局が基地局のシステム情報を更新する手順の一例を示す図である。
【図７】本発明の他の実施例に係る中継局識別子とマルチキャスト識別子の設定方法の一例を示す図である。
【図８】本発明のさらに他の実施例として、送信端及び受信端構造の一例を示すブロック図である。
【発明を実施するための形態】
【００３７】
本発明は、無線接続システムに関するものである。以下、本発明の各実施例は中継局の効率的なシステム情報伝送／更新方法を開示する。
【００３８】
以下の各実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、または他の実施例の対応する構成または特徴に取って代わることもできる。
【００３９】
本明細書において、本発明の実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）の意味を有する。本文書で、基地局によって行われるものと説明された特定動作は、場合によっては、基地局の上位ノード（ｕｐｐｅｒ  ｎｏｄｅ）によって行われることもできる。
【００４０】
すなわち、基地局を含む多数のネットワークノード（ｎｅｔｗｏｒｋ  ｎｏｄｅｓ）からなるネットワークにおいて端末との通信のために行われる種々の動作は、基地局または基地局以外の他のネットワークノードによって行われることができるのは自明である。ここで、‘基地局（ＢＳ：Ｂａｓｅ  Ｓｔａｔｉｏｎ）’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、ＡＢＳ（Ａｄｖａｎｃｅｄ  ＢＳ）などの用語に代替可能である。
【００４１】
また、‘端末（Ｔｅｒｍｉｎａｌ）’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  ＭＳ）またはＳＳ（Ｓｕｓｃｒｉｂｅｒ  Ｓｔａｔｉｏｎ）などの用語に代替可能である。
【００４２】
本発明の実施例は様々な手段を通じて具現することができる。例えば、本発明の実施例は、ハードウェア、ファームウェア（ｆｉｒｍｗａｒｅ）、ソフトウェアまたはそれらの結合などによって具現することができる。
【００４３】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラー、マイクロコントローラー、マイクロプロセッサなどによって具現することができる。
【００４４】
ファームウェアやソフトウェアによる具現の場合、本発明の一実施例による方法は、以上で説明された機能または各動作を行うモジュール、手順または関数などの形態で具現することができる。ソフトウェアコードはメモリユニットに格納されてプロセッサによって駆動されることができる。前記メモリユニットは、前記プロセッサの内部または外部に位置し、既に公知の様々な手段によってプロセッサとデータを交換することができる。
【００４５】
本発明の各実施例は、無線接続システムであるＩＥＥＥ  ８０２システム、３ＧＰＰシステム、３ＧＰＰ  ＬＴＥシステム及び３ＧＰＰ２システムのうち少なくとも一つに開示された標準文書によってサポートできる。すなわち、本発明の各実施例のうち本発明の技術的思想を明確にするために説明を省略した段階または部分は、上記の文書によってサポートできる。また、本文書で開示している用語はいずれも上記の標準文書によって説明できる。特に、本発明の各実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＩＥＥＥ  Ｐ８０２．１６ｍ文書のうち少なくとも一つによってサポートできる。
【００４６】
以下の説明で使われる特定用語は、本発明の理解を助けるために提供されたもので、このような特定用語の使用は、本発明の技術的思想を逸脱しない範囲で他の形態に取って代わることができる。
【００４７】
本発明の各実施例に係る中継局を含む広帯域無線接続システムでは、以下の仮定が適用される。特に、本発明の各実施例は不透明中継局を仮定する。
【００４８】
１．中継局は、マクロ基地局と同期が合わせられている。
【００４９】
２．端末は、中継局からサービスを受ける間にも該当の中継局が属しているマクロ基地局と同期が合わせられている。
【００５０】
３．透明中継局（Ｔｒａｎｓｐａｒｅｎｔ  ＲＳ）の場合、媒体接続制御管理メッセージ（ＭＡＣ  ｍａｎａｇｅｍｅｎｔ  ｍｅｓｓａｇｅ）は、マクロ基地局のみによって端末に伝送されたり、または中継局を介して端末に伝送される。
【００５１】
４．中継局は、物理制御（ｐｈｙｓｉｃａｌ  ｃｏｎｔｒｏｌ）のために、コード分割多重接続コード信号測定（ＣＤＭＡ  ｃｏｄｅ  ｓｉｇｎａｌ  ｍｅａｓｕｒｅｍｅｎｔ）またはチャネル状態情報測定（ＣＱＩ  ｍｅａｓｕｒｅｍｅｎｔ）情報を算出する機能を有することができる。
【００５２】
５．スケジューリングは、集中型（Ｃｅｎｔｒａｌｉｚｅｄ  ｓｃｈｅｄｕｌｉｎｇ  ｍｏｄｅ）または分散型（Ｄｉｓｔｒｉｂｕｔｅｄ  ｓｃｈｅｄｕｌｉｎｇ  ｍｏｄｅ）の形態で構成されることができる。
【００５３】
本発明の各実施例で、中継局（ＡＲＳ：Ａｄｖａｎｃｅｄ  Ｒｅｌａｙ  Ｓｔａｔｉｏｎ）は、基地局（ＡＢＳ）とのボップ（ｈｏｐ）数によって奇数ホップＡＲＳ（Ｏｄｄ  Ｈｏｐ  ＡＲＳ）及び偶数ホップＡＲＳ（Ｅｖｅｎ  Ｈｏｐ  ＡＲＳ）に区分されることができる。奇数ホップＡＲＳ及び偶数ホップＡＲＳは、階層的構造を有することができ、一つのネットワークは、一つ以上の奇数ホップＡＲＳ及び一つ以上の偶数ホップＡＲＳを含むことができる。
【００５４】
中継局で使用するフレーム構造は、ダウンリンク及びアップリンクフレーム構造で構成されることができる。このとき、ダウンリンクフレーム構造は、ダウンリンク接続領域（ＤＬ  Ａｃｃｅｓｓ  Ｚｏｎｅ）及びダウンリンク中継領域（ＤＬ  Ｒｅｌａｙ  Ｚｏｎｅ）を含み、アップリンクフレーム構造は、アップリンク接続領域（ＵＬ  Ａｃｃｅｓｓ  Ｚｏｎｅ）及びアップリンク中継領域（ＵＬ  Ｒｅｌａｙ  Ｚｏｎｅ）を含むことができる。
【００５５】
この時、基地局と端末との間に一つの中継局のみが存在（１個のホップ構造）する場合、ダウンリンク接続領域は、中継局（ＡＲＳ）が端末（ＡＭＳ）にデータパケットなどを伝送する区間を表し、アップリンク接続領域は、端末（ＡＭＳ）が該当の中継局（ＡＲＳ）にデータパケットなどを伝送する区間を表す。また、ダウンリンク中継領域で中継局（ＡＲＳ）は基地局（ＡＢＳ）からデータパケットを受信することができ、アップリンク中継領域で中継局（ＡＲＳ）は基地局（ＡＢＳ）にデータパケットを伝送することができる。
【００５６】
このような一つのホップ構造における中継局のフレーム構造が、図１及び図２に示されている。
【００５７】
図１は、一般的なＩＥＥＥ  ８０２．１６ｍシステムの周波数分割二重化（ＦＤＤ）による中継局と基地局のフレーム構造を、図２は、時分割二重化（ＴＤＤ）による中継局と基地局のフレーム構造を、それぞれ示す。
【００５８】
図１では、アップリンク及びダウンリンクが周波数によって区分され、１フレーム内で接続領域と中継領域がそれぞれ４サブフレームずつ割り当てられたことが分かる。また、図２では、アップリンク及びダウンリンクが時分割によって区分され、各アップ／ダウンリンク内で、再び時分割によって接続領域と中継領域が区分されることが分かる。ただし、図１及び図２には共通に、各領域の間には領域を変更するためのギャップ（ＧＡＰ）が存在する。
【００５９】
上述したフレーム構造において、中継局（ＡＲＳ）は、ダウンリンク接続領域で、自身のシステム情報をスーパーフレームヘッダー（ＳＦＨ）を通じて放送することができる。中継局は、基地局が伝送するＳＦＨと同一のフィールドで構成されたシステム情報を伝送できる。このとき、これらの各フィールドの値は、基地局が伝送する値と異なってもよい。ただし、基地局識別子フィールドには、自身の識別子ではない自身の基地局識別子が含まれる。これは、端末のハンドオーバー過程で中継局識別子ではない基地局識別子が必要であるためである。
【００６０】
ところが、中継局は、その特性上、ＳＦＨを通じて放送されるシステム情報の他にも、基地局（ＡＢＳ）が使用しない追加的なシステム情報が存在する。このような追加的システム情報の例としては、アップ／ダウンリンクにおいて接続領域と中継領域を表す情報、各領域の間に存在するギャップ（ＧＡＰ）の位置及び／または大きさなどがある。
【００６１】
このような中継局のための追加的システム情報を效率的に端末またはその下位中継局に伝送する方法を、以下、本発明の一実施例で説明する。
【００６２】
第１実施例
本発明の一実施例によれば、中継局のための追加的システム情報を效率的に端末またはその下位中継局に伝送する方法が提供される。
【００６３】
まず、本発明の一実施例に係るダウンリンクにおいて各領域情報を知らせる方法を説明する。
【００６４】
ダウンリンクにおいて各領域の情報を端末またはその下位中継局に知らせなければならない理由は、端末や下位中継局が、基地局から該当の中継局に伝送するデータを自身に向くデータ（実際には雑音や干渉になり得る）として認識することもあるからである。また、下位中継局の場合、自身に伝送されるデータ、あるいは、シグナリング（ｓｉｇｎａｌｉｎｇ）の伝送領域を知っていると、不要な領域内のＡ−ＭＡＰ情報を読む必要がないからである。
【００６５】
このために、本実施例では、ダウンリンクサブフレームで、Ａ−ＭＡＰ領域を通じてダウン／アップリンク領域情報（中継領域情報及び接続領域情報）を知らせることを提案する。このような方法を、図３及び図４を参照して説明する。
【００６６】
図３は、本発明の一実施例に係るマップ領域を通じて中継局の領域情報を知らせる形態の一例を示す。
【００６７】
図３を参照すると、１番目のダウンリンクサブフレームのＡ−ＭＡＰ領域には、現在領域の種類、長さ及びギャップに対する情報と、その次の領域の種類、長さ及びギャップに対する情報が含まれることができる。その次の領域が始まるサブフレームのＡ−ＭＡＰ領域では、該当の領域の種類、長さ及びギャップに対する情報と、その次の領域の種類、長さ及びギャップに対する情報が含まれることができる。このようにすることで、現在領域の次の領域が、中継局が受信モードで動作する場合（例えば、ダウンリンク中継領域）である場合、端末またはその下位中継局は、該当の領域の信号が自身に対するものではないことが分かり、次の領域が終わった後に、再び該当の中継局の信号を受信することができる。
【００６８】
図３では、ダウンリンクサブフレームの場合のみを仮定して示したが、アップリンク領域に対する情報も、相応するアップリンクＡ−ＭＡＰ領域に含まれることができる。
【００６９】
図４は、本発明の一実施例に係るマップ領域を通じて中継局の領域情報を知らせる形態の他の例を示す。
【００７０】
図４を参照すると、１番目のダウンリンクサブフレームのＡ−ＭＡＰ領域には、該当のサブフレームが属する領域の情報だけでなく、該当のスーパーフレーム内の全体領域情報及びギャップ情報が伝送されることができる。このような場合、端末または下位中継局が１番目のサブフレームのＡ−ＭＡＰ領域を成功的に受信する場合、次の領域情報を知るための情報の追加的な受信が要求されない。
【００７１】
一方、領域情報及び各領域のギャップに対する情報は、毎サブフレームのＡ−ＭＡＰ領域で伝送されることもできる。
【００７２】
これら領域情報及び各領域のギャップに対する情報は、Ａ−ＭＡＰ領域を通じて伝達する方法の他にも、必須のシステム情報を伝達するＳＦＨ、あるいは、追加的なシステム情報を伝達するＡＡＩ＿ＳＣＤメッセージを通じて伝達することができる。このとき、下位中継局は、これら情報を受信する時まで、端末と自身の下位中継局のネットワーク進入を許容してはならない。
【００７３】
次に、本実施例に係るホップ情報（Ｏｄｄ−Ｈｏｐ  ｏｒ  Ｅｖｅｎ  Ｈｏｐ）、ホップ数（Ｈｏｐ  ｃｏｕｎｔ）及びリレー識別子を伝送する方法を説明する。基地局と中継局、中継局と他の中継局との関係を仮定するために、図５を参照することにする。
【００７４】
図５は、基地局とその下位中継局との網配置形態の一例を示す。
【００７５】
図５のような網配置を仮定する時、ホップ情報は、基地局と中継局との間、中継局と中継局との間に分けて説明できる。
【００７６】
１）ＡＢＳとＡＲＳ１、または、ＡＢＳとＡＲＳ２の関係で、ＡＢＳのスーパーフレームヘッダーを通じて、ＡＲＳ１またはＡＲＳ２は自身のホップ情報を暗示的に判断したり、ＡＲＳ１またはＡＲＳ２がＡＢＳに進入（ｅｎｔｒｙ）する時、ＡＢＳは、この過程で伝送する媒体接続制御管理メッセージ（ＭＡＣ  ｍａｎａｇｅｍｅｎｔ  ｍｅｓｓａｇｅ）を通じて、該当の中継局が奇数ホップ（Ｏｄｄ−ｈｏｐ）であることを知らせることができる。
【００７７】
２）ＡＲＳ１／２とＡＲＳ３／４の関係で、ＡＲＳ１／２が自身のホップ情報をＳＦＨを通じて放送する場合、ＡＲＳ３／４は、自身のホップ情報を暗示的に判断したり、ＡＲＳ３／４がＡＲＳ１／２に進入する時、ＡＲＳ１／２がＡＲＳ３／４に自身のホップ情報を知らせて、ＡＲＳ３／４に暗示的にホップ情報を判断するようにしたり、直接ＡＲＳ３／４のホップ情報をＭＡＣメッセージを通じて知らせることができる。これは、ＡＲＳ１／２が自身が奇数ホップであることを知って、ＡＲＳ３／４が自身のすぐ下位の中継局であるので、ＡＲＳ３／４は偶数ホップであることを知ることができるからである。
【００７８】
ホップ数もまた上述した方法と同様に、上位の個体（すなわち、基地局または上位中継局）から放送されるＳＦＨ、またはエントリー過程でのＭＡＣメッセージを通じて中継局に知られることができる。もし、ＳＦＨが用いられる場合であれば、自身の上位個体のホップ数に１を加算する方法によって、中継局は自身のホップ数を暗示的に判断できる。また、ＭＡＣメッセージが用いられる場合であれば、ＳＦＨと同様の方法で、上位個体が自身のホップ数をエントリーする下位個体に知らせたり、または直接的に上位個体が下位中継局のホップ数を知らせることもできる。
【００７９】
一方、ここで、中継局識別子とは、中継局が、他の中継局／他の端末との関係、例えば、ＡＲＳ１とＡＲＳ３／ＡＭＳ１との関係において、相互間を区分するための識別子のことを言う。中継局識別子は、基地局から専用識別子の割当を受ける方法が使用されることができ、この時、専用識別子は、ステーション識別子（ＳＴＩＤ）であってもよい。このような識別子を伝達する方法としては、基地局と奇数ホップ中継局との間では、中継局が基地局にエントリーを行う時、ＭＡＣ管理メッセージを通じて中継局識別子の割当を受ける方法が使用されることができる。また、上位中継局と下位中継局との間では、上位中継局が基地局から与えられた識別子をスーパーフレームヘッダーを通じて下位中継局に伝達したり、下位中継局が上位中継局にエントリーを行う時、ＭＡＣメッセージを通じて、基地局から割当を受けた中継局識別子を下位中継局に伝達する方法が使用されることができる。
【００８０】
一方、本実施例の他の様相によれば、中継局を含む広帯域無線接続システムにおいて基地局の追加的放送情報を中継局が效率的に受信する方法が提供される。まず、追加的放送情報を説明する。
【００８１】
一般に、基地局は、各端末との通信のために付加的に必要な放送情報（ＡＢＩ：Ａｄｄｉｔｉｏｎａｌ  Ｂｒｏａｄｃａｓｔ  Ｉｎｆｏｒｍａｔｉｏｎ）を追加的放送メッセージ（例えば、ＡＡＩ＿ＳＣＤ、ＡＡＩ＿ＮＢＲ−ＡＤＶ、ＡＡＩ＿ＰＡＧ−ＡＤＶ、ＡＡＩ＿ＭＣ−ＡＤＶなど等）の形態で端末に伝達する。この時、追加的放送メッセージ（Ａｄｄｉｔｉｏｎａｌ  Ｂｒｏａｄｃａｓｔ  ｍｅｓｓａｇｅ）は、一般的なユーザーデータが伝送されるトラフィックチャネル（ｔｒａｆｆｉｃ  ｃｈａｎｎｅｌ）を通じて伝達される。ＡＢＩは、拡張システムパラメータ（ｅｘｔｅｎｄｅｄ  ｓｙｓｔｅｍ  ｐａｒａｍｅｔｅｒｓ）、システム設定情報（ｓｙｓｔｅｍ  ｃｏｎｆｉｇｕｒａｔｉｏｎ  ｉｎｆｏｒｍａｔｉｏｎ）及びダウンリンク通知（ＤＬ  ｎｏｔｉｆｉｃａｔｉｏｎ）のための制御情報を含む。
【００８２】
これら情報は、下記のようにシステム情報獲得（ｓｙｓｔｅｍ  ａｃｑｕｉｓｉｔｉｏｎ）の以後に必要な情報である。
【００８３】
−ハンドオーバーのための情報（Ｉｎｆｏｒｍａｔｉｏｎ  ｆｏｒ  ｈａｎｄｏｖｅｒ）：Ｄｅｆａｕｌｔ  ＨＯ  ＲＳＳＩ  ａｎｄ  ＣＩＮＲ  ａｖｅｒａｇｉｎｇ  ｐａｒａｍｅｔｅｒ、  Ｈｙｓｔｅｒｅｓｉｓ  ｍａｒｇｉｎ、Ｔｉｍｅ−ｔｏ−Ｔｒｉｇｇｅｒ  ｄｕｒａｔｉｏｎ、  Ｔｒｉｇｇｅｒ  ｉｎｆｏｒｍａｔｉｏｎ
−多重アンテナ技法のための情報（Ｉｎｆｏｒｍａｔｉｏｎ  ｆｏｒ  ＭＩＭＯ）：ｃｏｄｅｂｏｏｋ  ｓｕｂｓｅｔ  ｆｏｒ  ＰＭＩ  ｃｏｏｒｄｉｎａｔｉｏｎ、  Ｃｏｄｅｂｏｏｋ  ｓｕｂｓｅｔ  ｆｏｒ  ＤＬ  ＭＵ−ＭＩＭＯ  ｓｕｂｓｅｔ  ｉｎｄｉｃａｔｉｏｎ
−中継局のための情報（Ｉｎｆｏｒｍａｔｉｏｎ  ｆｏｒ  Ｒｅｌａｙ）：Ｈｏｐ  ｉｎｆｏｒｍａｔｉｏｎ、  ＤＬ／ＵＬ  ａｌｌｏｃａｔｉｏｎ、Ｔｒａｎｓｍｉｔ／ｒｅｃｅｉｖｅ  ｚｏｎｅ、Ｚｏｎｅ  ｔｙｐｅ
−多重搬送波のための情報（Ｉｎｆｏｒｍａｔｉｏｎ  ｆｏｒ  Ｍｕｌｔｉ−Ｃａｒｒｉｅｒ）：Ｃａｒｒｉｅｒ  ｉｎｄｅｘ、Ｆｕｌｌｙ／Ｐａｒｔｉａｌｌｙ  ｃｏｎｆｉｇｕｒｅｄ  ｃａｒｒｉｅｒ  ｉｎｄｉｃａｔｉｏｎ、Ｃｅｎｔｅｒ  ｆｒｅｑｕｅｎｃｙ、Ｂａｎｄｗｉｄｔｈ  ｉｎｆｏｒｍａｔｉｏｎ、Ｉｎｉｔｉａｌ  ａｃｃｅｓｓ  ａｂｉｌｉｔｙ、Ｇｕａｒｄ  ｒｅｓｏｕｒｃｅ  ｉｎｆｏｒｍａｔｉｏｎ
−フェムトセルのための情報（Ｉｎｆｏｒｍａｔｉｏｎ  ｆｏｒ  ＦｅｍｔｏＣｅｌｌ）
−改善マルチキャスト放送サービス（Ｉｎｆｏｒｍａｔｉｏｎ  ｆｏｒ  ＥＭＢＳ）：Ｓｅｒｖｉｃｅ  ＩＤ、ＭＳＣＣＨ  ｒｅｓｏｕｒｃｅ  ａｌｌｏｃａｔｉｏｎ  ｉｎｆｏｒｍａｔｉｏｎ
−異種網間の通信のための情報（Ｉｎｆｏｒｍａｔｉｏｎ  ｆｏｒ  ｉｎｔｅｒ−ＲＡＴ）：ＭＩＨ  ｃａｐａｂｉｌｉｔｙ  ｓｕｐｐｏｒｔ
−近隣広告のための情報（Ｉｎｆｏｒｍａｔｉｏｎ  ｆｏｒ  ｎｅｉｇｈｂｏｒ  ａｄｖｅｒｔｉｓｅｍｅｎｔ）：ｃｈａｒａｃｔｅｒｉｓｔｉｃｓ  ｏｆ  ｎｅｉｇｈｂｏｒ  ＢＳ
−遊休／睡眠モードの単一／グループユーザーに対するネットワーク通知提供のために、ダウンリンクに伝送される制御及びシグナリング情報（Ｃｏｎｔｒｏｌ  ａｎｄ  ｓｉｇｎａｌｉｎｇ  ｉｎｆｏｒｍａｔｉｏｎ  ｍａｙ  ｂｅ  ｔｒａｎｓｍｉｔｔｅｄ  ｉｎ  ｔｈｅ  ＤＬ  ｔｏ  ｐｒｏｖｉｄｅ  ｎｅｔｗｏｒｋ  ｎｏｔｉｆｉｃａｔｉｏｎｓ  ｔｏ  ａ  ｓｉｎｇｌｅ  ｕｓｅｒ  ｏｒ  ａ  ｇｒｏｕｐ  ｏｆ  ｕｓｅｒｓ  ｉｎ  ｔｈｅ  ｉｄｌｅ  ｍｏｄｅ  ａｎｄ  ｓｌｅｅｐ  ｍｏｄｅ）報知
基地局は、一般的に上述した追加的放送情報を含む追加的放送メッセージ（ａｄｄｉｔｉｏｎａｌ  ｂｒｏａｄｃａｓｔ  ｍｅｓｓａｇｅ）を、ダウンリンク接続領域（ＤＬ  Ａｃｃｅｓｓ  Ｚｏｎｅ、すなわち、伝送モード）を通じて伝達する。この時、基地局がダウンリンク接続領域で動作する時点に、中継局もまた伝送モード（ＴＸ  ｍｏｄｅ）で動作する。したがって、基地局の追加的放送情報（ＡＢＩ）が変更されたとき、これを中継局が效率的に受信することができる方法が要求される。以下では、本実施例の他の様相に係る中継局で基地局のＡＢＩを效率的に受信する方法を説明する。
【００８４】
方法１
基地局（または上位中継局）は、追加的放送メッセージをダウンリンク中継領域（ＤＬ  Ｒｅｌａｙ  Ｚｏｎｅ）を通じて追加に伝送することができる。この時、基地局（または上位中継局）は、ＡＢＩが変更された場合にのみ、追加にダウンリンク中継領域に、該当の変更された情報が含まれたメッセージを伝送することもできる。
【００８５】
方法２
基地局（または上位中継局）は、追加的放送メッセージを常にダウンリンク中継領域を通じて伝送することができる。
【００８６】
方法３
中継局（または下位中継局）は、ＡＢＩ及びＳＦＨの変更カウント（Ｃｈａｎｇｅ  ｃｏｕｎｔ）を基地局（または上位中継局）に報告することができる。これを受信した基地局（または上位中継局）は、該当の中継局（または下位中継局）が最新バージョンのシステム情報を持っていない場合、該当の中継局に該当のシステム情報が含まれたメッセージを伝送する。
【００８７】
方法４
基地局（または上位中継局）は、ＡＢＩ及びＳＦＨの変更カウントを中継局（または下位中継局）に周期的に伝送することができる。これを受信した中継局（または下位中継局）は、自身が持っているバージョンより最新バージョンのシステム情報が伝送／適用されていると判断すると、該当の情報が含まれたメッセージに対する伝送を要請することができる。
【００８８】
上述した各方法において、基地局（または上位中継局）は、該当のメッセージに対する受信有無を中継局（または下位中継局）に要請することができる。
【００８９】
第２実施例
本発明の他の実施例では、基地局のシステム情報が変更される場合、中継局が、更新されたシステム情報を效率的に受信して更新する方法が提供される。
【００９０】
上述したように、中継局は、端末ともデータ交換を行い、基地局ともデータ交換を行う。ところが、中継局と基地局は、互いに同期化が行われるので、同じ時点に各自のシステム情報を放送する。したがって、中継局は、基地局がシステム情報を放送する時点に、自身も伝送モードで自身のシステム情報を放送するため、基地局のシステム情報を受信できず、更新ができないという問題点がある。このような問題は、上位中継局と下位中継局においても発生する。
【００９１】
したがって、本実施例では、別途のＭＡＣ管理メッセージを定義して、これを通じて変更された基地局または上位中継局のシステム情報を中継局が受信して更新できるようにすることを提案する。
【００９２】
基地局で更新されるシステム情報は必須システム情報（ＥＳＩ：Ｅｓｓｅｎｔｉａｌ  Ｓｙｓｔｅｍ  Ｉｎｆｏｒｍａｔｉｏｎ）と称することができ、これは、通常、セカンダリースーパーフレームヘッダー（Ｓ−ＳＦＨ）を通じて伝送され、サブパケット１乃至３（すなわち、Ｓ−ＳＦＨ  ＳＰ１、Ｓ−ＳＦＨ  ＳＰ２、Ｓ−ＳＦＨ  ＳＰ３）に区分されることができる。各サブパケットは、互いに伝送周期が異なってもよく、基地局で個別的に更新されることもできる。
【００９３】
中継局は、基地局（または上位中継局）のシステム情報が変更されたか否かをスーパーフレームヘッダー変更カウント（ＳＦＨ  ｃｈａｎｇｅ  ｃｏｕｎｔ）を通じて判断することができる。基地局（または上位中継局）のＳＦＨ変更カウントは、改良マップ領域（Ａ−ＭＡＰ  ｒｅｇｉｏｎ）を通じて中継局（または下位中継局）に伝送されることができる。この時、ＳＦＨ変更カウントの伝送領域は、ユーザー非特定（ｅｘｔｅｎｄｅｄ  Ｎｏｎ−ｕｓｅｒ  ｓｐｅｃｉｆｉｃまたはＮｏｎ−ｕｓｅｒ  ｓｐｅｃｉｆｉｃ）領域であってもよく、ユーザー特定（ｕｓｅｒ  ｓｐｅｃｉｆｉｃ）領域であってもよい。一方、マップ領域には、ＳＦＨ変更カウント情報だけでなく、下位中継局のために別途に伝送されるシステム情報の伝送位置情報が含まれることができる。伝送位置情報が改良マップ領域に含まれる場合、下位中継局は、該当の情報の変更有無を把握し、変更された場合、更新を試みることができる。
【００９４】
１）ＭＡＣメッセージの伝送形態
基地局の変更されたシステム情報を、下位中継局に伝送するためのＭＡＣメッセージ（以下、便宜上、“中継局必須システム情報メッセージ”または“ＲＳ＿ＥＳＩメッセージ”と称する）の形態は、放送メッセージまたは追加的放送メッセージ（Ａｄｄｉｔｉｏｎａｌ  ｂｒｏａｄｃａｓｔ  ｍｅｓｓａｇｅ）の形態であってもよい。または、チャネル状態などを考慮して、各中継局（ＡＲＳ）をグルーピングし、同一のグループに一つのマルチキャスト識別子（ｍｕｌｔｉｃａｓｔ  ＩＤ）を付与し、該当の識別子を持つ各中継局に伝送するマルチキャストメッセージ（ｍｕｌｔｉｃａｓｔ  ｍｅｓｓａｇｅ）の形態であってもよく、ユニキャストメッセージ（ｕｎｉｃａｓｔ  ｍｅｓｓａｇｅ）の形態であってもよい。
【００９５】
該当のメッセージは、一般のＭＡＣ  ｍａｎａｇｅｍｅｎｔ  ｍｅｓｓａｇｅとは違って、暗号化及び保安などの作業、及び関連情報を含まなくてもよい。
【００９６】
２）ＭＡＣメッセージの形態
一方、このようなＲＳ＿ＥＳＩメッセージの形態は、全てのＳＦＨ内のシステム情報を含む一つのメッセージの形態で伝送されるようにしたり、または、Ｐ−ＳＦＨと各Ｓ−ＳＦＨ  ＳＰ内のシステム情報がそれぞれのメッセージの形態で伝送されるようにすることもできる。または、ビットマップを使用して、各サブパケットが含まれているか否かを指示するようにし、ビットが設定されたサブパケットのみを含める方法が使用されることもできる。例えば、ビットマップが４ビットである場合、１ｓｔ  ｂｉｔ：Ｐ−ＳＦＨ内の情報、２ｎｄ  ｂｉｔ：Ｓ−ＳＨ  ＳＰ１内の情報、３ｒｄ  ｂｉｔ：Ｓ−ＳＦＨ  ＳＰ２内の情報、４ｔｈ  ｂｉｔ：Ｓ−ＳＦＨ  ＳＰ３内の情報のように、各ビットを割り当てることができる。ただし、Ｐ−ＳＦＨは、必須システム情報自体とは関連が少ないので、ビットマップを３ビットにし、各ビット別にサブパケットを１から３まで割り当てることもできる。また、システム情報伝送のためのＭＡＣメッセージは、ＳＦＨバージョン情報であるカウント（ｃｏｕｎｔ）情報を含むことが望ましい。
【００９７】
この時、伝送されるシステム情報は、ＢＳ  ＩＤのように変更されない情報及び不要な情報を除いて構成されることができる。
【００９８】
３）ＭＡＣメッセージの伝送時点
基地局に少なくとも一つの中継局が存在する限り、基地局は、各中継局に該当のＭＡＣメッセージを下記の伝送時点に伝送しなければならない。
【００９９】
ＲＳ＿ＥＳＩメッセージの伝送時点は周期性を有するようにすることができ、その周期は、基地局のＳＦＨの各サブパケットの周期と独立的にまたは同一（Ｎ×ＰＳ−ＳＦＨ  ＳＰｘ、Ｎ≧１）に設定することができる。この時、基地局は、ＲＳ＿ＥＳＩメッセージの伝送位置及び周期情報などのスケジューリング情報をネットワーク進入過程で知らせることもできる。また、ＲＳ＿ＥＳＩメッセージの伝送時点は、中継局が要請した場合のみに限定することができる。ＲＳ＿ＥＳＩメッセージの他の伝送時点としては、イベントトリガー（Ｅｖｅｎｔ  ｔｒｉｇｇｅｒｅｄ）方式によって、基地局でシステム情報の変更が発生することを条件として伝送されるようにすることもできる。この時、中継局は、基地局に該当のメッセージの受信有無を知らせることができる。
【０１００】
中継局が基地局にＲＳ＿ＥＳＩメッセージの受信有無を知らせる方法には、ＭＡＥＨ（Ｍｅｓｓａｇｅ  ＡＣＫ  Ｅｘｔｅｎｄｅｄ  Ｈｅａｄｅｒ）のようなヘッダーを用いたり、ＭＲ＿Ｇｅｒｅｒｉｃ−ＡＣＫまたはＡＡＩ＿ＭＳＧ−ＡＣＫのようなＭＡＣメッセージを用いることができる。もし、特定中継局から受信有無の確認のためのメッセージが受信されない場合、または受信失敗を指示するメッセージが受信される場合、基地局はこれを該当の中継局にのみ再伝送することができる。
【０１０１】
４）更新されたシステム情報の適用時点
中継局がＲＳ＿ＥＳＩメッセージに含まれた更新されたシステム情報を適用する時点は、ＲＳ＿ＥＳＩメッセージが受信された該当のスーパーフレームに直ちに適用することもでき、一定のフレームまたはスーパーフレームを予め定めておいて適用することもできる。他の方法には、ＲＳ＿ＥＳＩメッセージにサブパケット全体に一括的に適用される時点に対する情報が含まれるようにして、サブパケット全体に対して同時に適用が行なわれるようにすることができる。または、ＲＳ＿ＥＳＩメッセージにサブパケット別に適用される時点に対する情報が含まれるようにして、各サブパケット別に適用時点を変えることもでき、このような時点は、スーパーフレーム単位で設定されることができる。
【０１０２】
下記の表１は、本発明の他の実施例に係るＲＳ＿ＥＳＩメッセージの内容の一例を示す。
【０１０３】
【表１】
2013502871.tif 000003
【０１０４】
表１を参照すると、ＲＳ＿ＥＳＩメッセージに含まれる基地局の更新されたシステム情報は、３ビットのビットマップ（Ｓ−ＳＦＨ  ｉｎｆｏｒｍａｔｉｏｎ  ｂｉｔｍａｐ）フィールドを通じて、サブパケット別に基地局の更新されたシステム情報を含むか否かを別途に指示することができる。この時、ＲＳ＿ＥＳＩメッセージに含まれる基地局の更新されたシステム情報は、３ビットのビットマップ（Ｓ−ＳＦＨ  ｉｎｆｏｒｍａｔｉｏｎ  ｂｉｔｍａｐ）の形態の代わりにタイプ形態（０ｂ００：ＳＰ１、０ｂ０１：ＳＰ２、０ｂ１０：ＳＰ３）で指示することができる。
【０１０５】
また、セカンダリースーパーフレームヘッダーカウント（Ｓ−ＳＦＨ  ｃｈａｎｇｅ  ｃｏｕｎｔ）が含まれて、該当のメッセージのＳ−ＳＦＨカウントを指示することができる。一方、ＲＳ＿ＥＳＩメッセージには、スーパーフレームナンバーアクション（Ｓｕｐｅｒ−ｆｒａｍｅ  Ｎｕｍｂｅｒ  Ａｃｔｉｏｎ）フィールドが含まれて、該当のメッセージに含まれたシステム情報（すなわち、各サブパケット）が一括的に適用される時点をスーパーフレーム単位で表すことができる。
【０１０６】
下記の表２は、本発明の他の実施例に係るＲＳ＿ＥＳＩメッセージの内容の他の例を示す。
【０１０７】
【表２】
2013502871.tif 000004
【０１０８】
表２は、基本的に表１と構成が同一である。ただし、スーパーフレームナンバーアクション（Ｓｕｐｅｒ−ｆｒａｍｅ  Ｎｕｍｂｅｒ  Ａｃｔｉｏｎ）フィールドが各サブパケット毎に含まれて、各サブパケット毎に適用時点を変えて設定することができる。
【０１０９】
上述した表１及び表２のような情報を含むＲＳ＿ＥＳＩメッセージは、追加的にこれを受信した中継局が該当のメッセージの受信有無を確認するためのＭＡＣメッセージ（例えば、ＡＡＩ＿ＭＳＧ−ＡＣＫメッセージ）を伝送できるように割り当てられたアップリンクリソースを指示する情報（例えば、割り当てられたリソースの周波数軸開始オフセット、割り当てられたリソースの大きさ、割り当てられたリソースの時間軸位置など）をさらに含むこともできる。この時、アップリンクリソースの割当順序は、ＲＳＩＤ値の昇順あるいは降順によって決定されることができる。
【０１１０】
上述したＲＳ＿ＥＳＩメッセージが適用される具体的な形態を図６を参照して説明する。
【０１１１】
図６は、本発明の他の実施例に係る中継局が基地局のシステム情報を更新する手順の一例を示す。
【０１１２】
図６では、表２のようなＲＳ＿ＥＳＩフォーマットが使用され、ＲＳ＿ＥＳＩメッセージは、基地局のシステム情報更新の発生を条件とするイベントトリガー方式で伝送されるものと仮定する。また、中継局は、ＲＳ＿ＥＳＩメッセージの受信有無を基地局に知らせるために、ＡＡＩ＿ＭＳＧ−ＡＣＫメッセージを使用するものと仮定する。
【０１１３】
図６を参照すると、基地局（ＡＢＳ）でシステム情報が更新される場合（Ｓ６０１）、基地局は、ＲＳ＿ＥＳＩメッセージを通じて、更新されたシステム情報を中継局に知らせることができる（Ｓ６０２）。
【０１１４】
この時、基地局は、中継局がＲＳ＿ＥＳＩメッセージの伝送結果を基地局に知らせるためのＡＡＩ＿ＭＳＧ−ＡＣＫメッセージを伝送するためのアップリンクリソース（ＵＬ  ｇｒａｎｔ  ｆｏｒ  ＡＡＩ＿ＭＳＧ−ＡＣＫまたはＡＣＫ  ｇｒａｎｔ）を中継局に割り当てることができる（Ｓ６０３）。
【０１１５】
この時、ＵＬ  ｇｒａｎｔ、すなわち、ＡＣＫ  ｇｒａｎｔの形態は、より詳細に後述することにする。
【０１１６】
ＲＳ＿ＥＳＩメッセージを成功的に受信した中継局は、ＵＬ  ｇｒａｎｔ情報が指示するアップリンクリソースを通じてＡＡＩ＿ＭＳＧ−ＡＣＫメッセージを基地局に伝送して、ＲＳ＿ＥＳＩメッセージの成功的な受信を基地局に知らせることができる（Ｓ６０４）。
【０１１７】
以後、中継局は、ＲＳ＿ＥＳＩメッセージに含まれたビットマップ（Ｓ−ＳＦＨ  ｉｎｆｏｒｍａｔｉｏｎ  ｂｉｔｍａｐ）で‘１’に設定されたビットに該当する各サブパケットの更新情報を、各サブパケットの更新情報に含まれたスーパーフレームナンバーアクション（Ｓｕｐｅｒ−ｆｒａｍｅ  Ｎｕｍｂｅｒ  Ａｃｔｉｏｎ）フィールドが指示するスーパーフレームでサブパケット別に適用することができる（Ｓ６０５）。
【０１１８】
基地局は、Ｓ６０４段階のＡＡＩ＿ＭＳＧ−ＡＣＫメッセージが受信されない場合、中継局に再びＲＳ＿ＥＳＩメッセージを再伝送することができ、この時、再伝送は、スーパーフレームナンバーアクション（Ｓｕｐｅｒ−ｆｒａｍｅ  Ｎｕｍｂｅｒ  Ａｃｔｉｏｎ）フィールドが指示する時点の前に行われることができる。
【０１１９】
以下では、本発明の他の実施例に係るＡＡＩ＿ＭＳＧ−ＡＣＫメッセージを伝送するためのアップリンクリソース（ＵＬ  Ｇｒａｎｔ  ｆｏｒ  ＡＡＩ＿ＭＳＧ−ＡＣＫまたはＡＣＫ  Ｇｒａｎｔ）を、基地局が中継局に伝送する具体的な形態を説明する。
【０１２０】
１）改良マップ情報要素（Ａ−ＭＡＰ  ＩＥ）を通じたＡＣＫ  ｇｒａｎｔの伝送
ＡＣＫ  ｇｒａｎｔに、中継局（または下位中継局）が基地局（または上位中継局）にＡＣＫメッセージを伝送するための割当情報のみが含まれた場合、基地局が、自身と連結された全ての中継局にＡＣＫ  ｇｒａｎｔを伝送するためのマップ情報要素（Ａ−ＭＡＰ  ＩＥ）の形態の一例を下記の表３を参照して説明する。
【０１２１】
【表３】
2013502871.tif 000005
【０１２２】
表３を参照すると、ＡＣＫ  ｇｒａｎｔ情報を含むマップ情報要素には、基地局と連結された全ての中継局が使用することのできるリソース割当情報（すなわち、開始オフセット及び割当大きさ）が含まれることができる。ここで、マップのＣＲＣは、放送識別子（ｂｒｏａｄｃａｓｔ  ＩＤ）でマスキングされ得る。
【０１２３】
もし、ＡＣＫメッセージ伝送のためのリソースを割り当てる中継局を指定する場合には、ビットマップが使用されることができ、このためのマップ情報要素の形態は、下記の表４のようである。
【０１２４】
【表４】
2013502871.tif 000006
【０１２５】
表４を参照すると、リソースが割り当てられる中継局を指示するビットマップフィールドがマップ情報要素に含まれる。この時、ビットマップの各フィールドが割り当てられる順序はＲＳＩＤにしたがうことができる。
【０１２６】
２）マルチキャスト識別子（ｍｕｌｔｉｃａｓｔ  ＩＤ）を用いた改良マップ情報要素（Ａ−ＭＡＰ  ＩＥ）を通じたＡＣＫ  ｇｒａｎｔの伝送
以下では、表５及び表６を参照して、特定マルチキャスト識別子（ｍｕｌｔｉｃａｓｔ  ＩＤ）を有する全ての中継局にＡＣＫ  ｇｒａｎｔを割り当てるマップ情報要素のデザイン形態を説明する。この時、マルチキャスト識別子は、ＲＳ＿ＥＳＩメッセージのためのマルチキャスト識別子と同一なものであってもよい。
【０１２７】
【表５】
2013502871.tif 000007
【０１２８】
表５を参照すると、ＡＣＫ  ｇｒａｎｔ情報を含むマップ情報要素の形態は、表３のマップ情報要素の構造と類似するが、ＣＲＣがマルチキャスト識別子でマスキングされる。この時、ＭＣＲＣ情報を通じて、中継局は、該当のマップ情報要素がどのマルチキャスト識別子のためのＡＣＫ  ｇｒａｎｔ情報を含むのかが分かる。
【０１２９】
ＡＣＫメッセージ伝送のためのリソースが割り当てられる中継局を指定する場合には、ビットマップが使用されることができ、このためのマップ情報要素の形態は、下記の表６の通りである。
【０１３０】
【表６】
2013502871.tif 000008
【０１３１】
表６を参照すると、リソースが割り当てられる中継局を指示するビットマップフィールドがマップ情報要素に含まれる。この時、ビットマップの各フィールドが割り当てられる順序は、ＲＳＩＤにしたがうことができる。
【０１３２】
一方、マップ情報要素で、階層的ビットマップ（Ｈｉｅｒａｒｃｈｉｃａｌ  ｂｉｔｍａｐ）の形態でＡＣＫ  ｇｒａｎｔがいずれの中継局に割り当てられるのかを表すこともできる。これを下記の表７を参照して説明する。
【０１３３】
【表７】
2013502871.tif 000009
【０１３４】
表７を参照すると、ＡＣＫ  ｇｒａｎｔ割当のためのマップ情報要素には、第１レベルビットマップ（Ｆｉｒｓｔ  ｌｅｖｅｌ  ｂｉｔｍａｐ）フィールドと中継局ビットマップ（ＡＲＳ  ｂｉｔｍａｐ）フィールドとが存在する。
【０１３５】
ここで、第１レベルビットマップは、中継局識別子（ＡＲＳ  ＩＤ）の範囲を表す。例えば、１０単位で範囲を決定すると仮定すると、１番目のｂｉｔが１である場合、中継局のビットマップの各ｂｉｔは、０ｂｘｘｘｘｘ００００００１〜０ｂｘｘｘｘｘ０００１０１０の識別子を有する中継局を意味し、２番目のｂｉｔが１である場合、中継局のビットマップの各ｂｉｔは、０ｂｘｘｘｘｘ０００１０１１〜０ｂｘｘｘｘｘ００１０１００の識別子を有する中継局を意味する。
【０１３６】
もし、中継局のビットマップフィールドがマップ情報要素に含まれないと、該当の範囲の全てのＡＲＳに割り当てられることを意味することができる。
【０１３７】
また、ＡＣＫ  ｇｒａｎｔが割り当てられる中継局を指示するために、開始中継局識別子と、該開始中継局識別子から何個の中継局にＡＣＫ  ｇｒａｎｔが割り当てられるかを表す方法が使用されてもよい。これを表８を参照して説明する。
【０１３８】
【表８】
2013502871.tif 000010
【０１３９】
表８を参照すると、開始中継局識別子（Ｓｔａｒｔ  ｎｕｍｂｅｒ  ｏｆ  ＡＲＳ  ＩＤ）フィールドと、中継局の個数（Ｔｈｅ  ｎｕｍｂｅｒ  ｏｆ  ＡＲＳｓ）フィールドが、ＡＣＫ  ｇｒａｎｔ割当のためのマップ情報要素に含まれて、ＡＣＫ  ｇｒａｎｔがいずれの中継局に割り当てられるかを表すことができる。
【０１４０】
例えば、開始中継局識別子フィールド値が０ｂｘｘｘｘｘ００１１１０１で、中継局の個数フィールド値が２であれば、０ｂｘｘｘｘｘ００１１１０１及び０ｂｘｘｘｘｘ００１１１１０の識別子を有する中継局に、該当のＡＣＫ  ｇｒａｎｔが割り当てられることを表す。
【０１４１】
上述したＡＣＫ  ｇｒａｎｔ割当のためのマップ情報要素（Ａ−ＭＡＰ  ＩＥ）に含まれる各フィールドは、所定のＭＡＣ管理メッセージに含まれることもできる。また、中継局は、特定時点（タイマーまたは持続時間、例えば、次のスーパーフレームなど）までＡＣＫ  ｇｒａｎｔが割り当てられないと、任意接続（ｒａｎｄｏｍ  ａｃｃｅｓｓ）過程を通じてＡＣＫメッセージ伝送のためのアップリンクリソースを要請することもできる。この過程で、有効なリソースがある場合は、中継局は、ＡＣＫ  ｇｒａｎｔまたは任意接続過程を通じたアップリンクリソースの割当を待つことなく、該当のリソースを通じてＡＣＫメッセージを基地局（または上位中継局）に伝達することもできる。
【０１４２】
以下では、本発明の他の実施例に係るマルチキャスト識別子（Ｍｕｌｔｉｃａｓｔ  ＩＤ）及び中継局識別子（ＲＳＩＤ）の割当方法を説明する。
【０１４３】
１）中継局識別子（ＲＳＩＤ）
中継局識別子は、基地局／上位中継局と下位中継局のインターフェース（ｉｎｔｅｒｆａｃｅ）において中継局を区分するための目的の識別子である。基地局／上位中継局は、下位中継局の初期進入（ｉｎｉｔｉａｌ  ｅｎｔｒｙ）過程で、このような中継局識別子を割り当てることができる。この時、割り当てられた識別子は、１２ビットのステーション識別子（ＳＴＩＤ）であってもよい。
【０１４４】
２）マルチキャスト識別子（Ｍｕｌｔｉｃａｓｔ  ＩＤ）
基地局及び上位中継局は、変更されたＳＦＨ情報を自身の下位中継局に伝達しなければならない。この時、該当の変更されたＳＦＨ情報を含むＲＳ＿ＥＳＩメッセージは、マルチキャスト（ｍｕｌｔｉｃａｓｔ）方式で下位中継局に伝達されることができる。したがって、基地局及び上位中継局は、全ての下位中継局のマルチキャスト識別子（ｍｕｌｔｉｃａｓｔ  ＩＤ）を、中継局設定（ＡＲＳ  ｃｏｎｆｉｇｕｒａｔｉｏｎ）過程、すなわち、中継局設定命令（ＲＳ  ｃｏｎｆｉｇｕｒａｔｉｏｎ  ｃｏｍｍａｎｄ）メッセージを通じて割り当てることができる。
【０１４５】
以下、より具体的に本発明の他の実施例に係るマルチキャスト識別子の割当方法を説明する。
【０１４６】
本実施例によれば、同一のマルチキャスト識別子（Ｍｕｌｔｉｃａｓｔ  ＩＤ）を有する下位中継局の識別子のｘ  ｂｉｔ−ＭＳＢ値は、マルチキャスト識別子のｘ  ｂｉｔ−ＭＳＢ値と同一に設定されることができる。これを図７を参照して説明する。
【０１４７】
図７は、本発明の他の実施例に係る中継局識別子とマルチキャスト識別子の設定方法の一例を示す。
【０１４８】
図７を参照すると、左側の場合、ｍｕｌｔｉｃａｓｔ  ＩＤが１１１０１０００００００で、ｘが５であると仮定すると、該当のｍｕｌｔｉｃａｓｔ  ＩＤ内の中継局識別子の範囲は１１１０１００００００１乃至１１１０１１１１１１１１になる。また、右側の場合、ｍｕｌｔｉｃａｓｔ  ＩＤが１１１１００００００００で、ｘが５であると仮定すると、該当のｍｕｌｔｉｃａｓｔ  ＩＤ内の中継局識別子の範囲は１１１１０００００００１乃至１１１１０１１１１１１１になる。図７では、基地局は、各中継局に昇順に識別子を割り当てるものと示されるが、これは例示的なもので、中継局識別子の割当は降順にしたがうこともできる。
【０１４９】
Ｍｕｌｔｉｃａｓｔ  ＩＤを通じて伝達されたメッセージ（すなわち、ＲＳ＿ＥＳＩメッセージ）に対して、基地局及び上位中継局は、該当のメッセージに対する受信有無を知らせるようにすることができる。この時、上位中継局と基地局は、該当のＭｕｌｔｉｃａｓｔ  ＩＤ内に存在する下位中継局の総数が分かるので、ＲＳ＿ＥＳＩメッセージ、あるいは、Ａ−ＭＡＰ  ＩＥの形態で、その個数だけ受信有無を知らせることができるアップリンクリソースを割り当てることができる。
【０１５０】
端末及び基地局の構造
以下、本発明のさらに他の実施例として、上述した本発明の各実施例を行える端末及び基地局（ＦＢＳ、ＭＢＳ）を説明する。
【０１５１】
端末は、アップリンクでは送信機として動作し、ダウンリンクでは受信機として動作することができる。また、基地局は、アップリンクでは受信機として動作し、ダウンリンクでは送信機として動作することができる。すなわち、端末及び基地局は、情報またはデータの伝送のために送信機及び受信機を含むことができる。
【０１５２】
送信機及び受信機は、本発明の各実施例を行うためのプロセッサ、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。このような送信端と受信端の一例を、図８を参照して説明する。
【０１５３】
図８は、本発明のさらに他の実施例として、送信端及び受信端構造の一例を示すブロック図である。
【０１５４】
図８を参照すると、左側は送信端の構造を示し、右側は受信端の構造を示す。送信端と受信端のそれぞれは、アンテナ５、１０、プロセッサ２０、３０、伝送モジュール（Ｔｘ  ｍｏｄｕｌｅ）４０、５０、受信モジュール（Ｒｘ  ｍｏｄｕｌｅ）６０、７０及びメモリ８０、９０を含むことができる。各構成要素は互いに対応する機能を行うことができる。以下では、各構成要素をより詳細に説明する。
【０１５５】
アンテナ５、１０は、伝送モジュール４０、５０で生成された信号を外部に伝送したり、外部から無線信号を受信して受信モジュール６０、７０に伝達する機能を行う。
【０１５６】
多重アンテナ（ＭＩＭＯ）機能が支援される場合には、２個以上のアンテナを備えることができる。アンテナ、伝送モジュール及び受信モジュールは、共に無線通信（ＲＦ）モジュールを構成することができる。
【０１５７】
プロセッサ２０、３０は、通常、移動端末機全体の全般的な動作を制御する。例えば、上述した本発明の各実施例を行うためのコントローラー機能、サービス特性及び伝播環境によるＭＡＣ（Ｍｅｄｉｕｍ  Ａｃｃｅｓｓ  Ｃｏｎｔｒｏｌ）フレーム可変制御機能、ハンドオーバー（Ｈａｎｄ  Ｏｖｅｒ）機能、認証及び暗号化機能などを行うことができる。より具体的に、プロセッサ２０、３０は、上述したシステム情報伝送／更新の手順を行うための全般的な制御を行うことができる。
【０１５８】
特に、中継局のプロセッサは、無線通信モジュールを制御して、基地局からＲＳ＿ＥＳＩメッセージが受信されるように制御し、ＲＳ＿ＥＳＩメッセージに含まれた基地局の更新されたシステム情報を獲得できる。中継局のプロセッサは、獲得したシステム情報を、各サブパケット別に更新時点を指示するフィールドを用いて、該当の時点にサブパケット単位で更新されたシステム情報の適用を行うことができる。また、中継局のプロセッサは、ＲＳ＿ＥＳＩメッセージの成功的な受信を基地局に知らせるために、ＡＡＩ＿ＭＳＧ−ＡＣＫメッセージが基地局に伝送されるように、無線通信モジュールを制御できる。この時、ＡＡＩ＿ＭＳＧ−ＡＣＫメッセージを伝送するためのアップリンクリソースは、所定の放送識別子やマルチキャスト識別子でＣＲＣマスキングされたＡ−ＭＡＰ  ＩＥまたはＭＡＣ管理メッセージを通じて割り当てられることができる。
【０１５９】
その他にも、中継局のプロセッサは、上述した各実施例に開示された動作過程の全般的な制御動作を行うことができる。
【０１６０】
伝送モジュール４０、５０は、プロセッサ２０、３０によってスケジューリングされて外部に伝送されるデータに対して所定の符号化（ｃｏｄｉｎｇ）及び変調（ｍｏｄｕｌａｔｉｏｎ）を行った後、これをアンテナ１０に伝達することができる。
【０１６１】
受信モジュール６０、７０は、外部からアンテナ５、１０を介して受信された無線信号に対する復号（ｄｅｃｏｄｉｎｇ）及び復調（ｄｅｍｏｄｕｌａｔｉｏｎ）を行い、これを原本データの形態に復元してプロセッサ２０、３０に伝達することができる。
【０１６２】
メモリ８０、９０は、プロセッサ２０、３０の処理及び制御のためのプログラムを格納することもでき、入／出力される各データ（ＥＳＩ情報など）の臨時格納のための機能を行うこともできる。また、メモリ８０、９０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの格納媒体を含むことができる。
【０１６３】
一方、基地局及び中継局は、上述した本発明の各実施例を行うためのコントローラー機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境によるＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能及び実時間モデム制御機能などを、上述したモジュールのうち少なくとも一つを通じて行ったり、このような機能を行うための別途の手段、モジュールまたは部分などをさらに含むことができる。
【０１６４】
本発明は、本発明の精神及び必須特徴を逸脱しない範囲で他の特定の形態に具体化されることができる。したがって、上記の詳細な説明は、いずれの面においても制約的に解析されてはならず、例示的なものとして考慮されなければならない。本発明の範囲は、添付の請求項の合理的な解析によって決定されるべきであり、本発明の等価的範囲内での全ての変更は本発明の範囲に含まれる。また、特許請求の範囲で明示的な引用関係を有しない請求項を結合して実施例を構成したり、出願後の補正によって新しい請求項として含めることができる。
【図５】
2013502871.tif 000011
【図７】
2013502871.tif 000012
【図１】
2013502871.tif 000013
【図２】
2013502871.tif 000014
【図３】
2013502871.tif 000015
【図４】
2013502871.tif 000016
【図６】
2013502871.tif 000017
【図８】
2013502871.tif 000018
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
広帯域無線アクセスシステムのアドバンスト中継局（ＡＲＳ）においてアドバンスト基地局（ＡＢＳ）のシステム情報を更新する方法であって、前記方法は、
前記基地局の前記システム情報の変更された情報を含む第１のメッセージを前記基地局から受信することと、
前記第１のメッセージの受信確認のための第２のメッセージを前記基地局に伝送することと、
前記変更された情報を適用することと
を含む、方法。
【請求項２】
前記システム情報は、第１のサブパケット、第２のサブパケット及び第３のサブパケットを含み、
前記変更された情報は、前記システム情報の変更カウントを示す変更カウントフィールドと、１ビットを用いることによって、前記サブパケットのそれぞれが前記第１のメッセージに含まれているか否かを示すビットマップフィールドと、前記ビットマップフィールドにおいて‘１’に設定されたビットに対応する各サブパケットの更新情報とを含む、請求項１に記載の方法。
【請求項３】
前記変更された情報は、スーパーフレーム単位において、前記第１のメッセージに含まれた前記更新情報が適用される時点を示すスーパーフレームナンバーアクションフィールドをさらに含み、
前記変更された情報に対する適用を行うステップは、前記スーパーフレームナンバーアクションフィールドによって示された時点において行われる、請求項２に記載の方法。
【請求項４】
前記第１のメッセージは、前記システム情報が変更された場合に、前記基地局から受信される、請求項１に記載の方法。
【請求項５】
前記第１のメッセージは、アドバンスト中継局必須システム情報メッセージであり、前記第２のメッセージは、メッセージＡＣＫメッセージである、請求項１に記載の方法。
【請求項６】
広帯域無線アクセスシステムにおいてアドバンスト中継局（ＡＲＳ）のアドバンスト基地局（ＡＢＳ）のシステム情報を更新する方法であって、前記方法は、
前記基地局の前記システム情報の変更された情報を含む第１のメッセージを前記中継局に伝送することと、
前記第１のメッセージの受信確認のための第２のメッセージを前記中継局から受信することと
を含む、方法。
【請求項７】
前記システム情報は、第１のサブパケット、第２のサブパケット及び第３のサブパケットを含み、
前記変更された情報は、前記システム情報の変更カウントを示す変更カウントフィールドと、１ビットを用いることによって、前記サブパケットのそれぞれが前記第１のメッセージに含まれているか否かを示すビットマップフィールドと、前記ビットマップフィールドにおいて‘１’に設定されたビットに対応する各サブパケットの更新情報と、スーパーフレーム単位において、前記第１のメッセージに含まれた前記更新情報が適用される時点を示すスーパーフレームナンバーアクションフィールドとを含む、請求項６に記載の方法。
【請求項８】
前記第１のメッセージは、前記システム情報が変更された場合に、伝送される、請求項６に記載の方法。
【請求項９】
前記第２のメッセージが前記中継局から受信されなかった場合に、前記第１のメッセージを前記中継局に再伝送することをさらに含む、請求項６に記載の方法。
【請求項１０】
前記第１のメッセージは、アドバンスト中継局必須システム情報メッセージであり、前記第２のメッセージは、メッセージＡＣＫメッセージである、請求項６に記載の方法。
【請求項１１】
広帯域無線アクセスシステムにおいて動作されているアドバンスト中継局（ＡＲＳ）であって、前記中継局は、
プロセッサと、
前記プロセッサの制御の下で、外部に無線信号を送信し、外部から無線信号を受信する無線周波数（ＲＦ）モジュールと
を含み、
前記プロセッサは、
アドバンスト基地局（ＡＢＳ）から受信された第１のメッセージを通じて前記基地局のシステム情報の変更された情報を獲得し、前記ＲＦモジュールを制御することによって、前記第１のメッセージの受信確認のための第２のメッセージが前記基地局に伝送されるように制御し、前記変更された情報が適用されるように制御する、中継局。
【請求項１２】
前記システム情報は、第１のサブパケット、第２のサブパケット及び第３のサブパケットを含み、
前記変更された情報は、前記システム情報の変更カウントを示す変更カウントフィールドと、１ビットを用いることによって、前記サブパケットのそれぞれが含まれているか否かを示すビットマップフィールドと、前記ビットマップフィールドにおいて‘１’に設定されたビットに対応する各サブパケットの更新情報とを含む、請求項１１に記載の中継局。
【請求項１３】
前記変更された情報は、スーパーフレーム単位において、前記第１のメッセージに含まれた前記更新情報が適用される時点を示すスーパーフレームナンバーアクションフィールドをさらに含み、
前記プロセッサは、前記変更された情報の前記適用が前記スーパーフレームナンバーアクションフィールドによって示された時点において行われるように制御する、請求項１２に記載の中継局。
【請求項１４】
前記第１のメッセージは、前記システム情報が変更された場合に、前記基地局から伝送される、請求項１１に記載の中継局。
【請求項１５】
前記第１のメッセージは、アドバンスト中継局必須システム情報メッセージであり、前記第２のメッセージは、メッセージＡＣＫメッセージである、請求項１１に記載の中継局。
【手続補正２】
【補正対象書類名】明細書
【補正対象項目名】００３４
【補正方法】変更
【補正の内容】
【００３４】
第２に、中継局に付加的に要求される領域情報、ホップ情報などのシステム情報を、端末に效率的に伝送することができる。
本発明は、例えば以下の項目を提供する。
（項目１）
広帯域無線接続システムにおいて中継局（ＡＲＳ）の基地局（ＡＢＳ）システム情報更新方法であって、
前記基地局システム情報の変更情報を含む第１メッセージを前記基地局から受信する段階と、
前記第１メッセージの受信確認のための第２メッセージを前記基地局に伝送する段階と、
前記変更情報を適用する段階と、を含む、システム情報更新方法。
（項目２）
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含む、項目１に記載のシステム情報更新方法。
（項目３）
前記各サブパケットの更新情報は、
該当のサブパケットの更新情報が適用される時点をスーパーフレーム単位で指示するスーパーフレームナンバーアクションフィールドを含み、
前記変更情報を適用する段階は、
前記各サブパケット別に前記ナンバーアクションフィールドが指示する時点に行われることを特徴とする、項目２に記載のシステム情報更新方法。
（項目４）
前記第１メッセージは、
前記システム情報の変更がある度にイベントトリガー（ｅｖｅｎｔ−ｔｒｉｇｇｅｒｅｄ）方式によって伝送されることを特徴とする、項目１に記載のシステム情報更新方法。
（項目５）
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、項目１に記載のシステム情報更新方法。
（項目６）
広帯域無線接続システムにおいて基地局（ＡＢＳ）が中継局にシステム情報の変更を知らせる方法であって、
前記基地局システム情報の変更情報を含む第１メッセージを前記中継局に伝送する段階と、
前記第１メッセージの受信確認のための第２メッセージを前記中継局から受信する段階と、を含む、システム情報更新方法。
（項目７）
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含み、
前記各サブパケットの更新情報は、
該当のサブパケットの更新情報が適用される時点をスーパーフレーム単位で指示するスーパーフレームナンバーアクションフィールドを含む、項目６に記載のシステム情報更新方法。
（項目８）
前記第１メッセージは、
前記システム情報の変更がある度にイベントトリガー（ｅｖｅｎｔ−ｔｒｉｇｇｅｒｅｄ）方式によって伝送されることを特徴とする、項目６に記載のシステム情報更新方法。
（項目９）
前記第２メッセージが前記中継局から受信されない場合、
前記第１メッセージを前記中継局に再伝送する段階をさらに含む、項目６に記載のシステム情報更新方法。
（項目１０）
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、項目６に記載のシステム情報更新方法。
（項目１１）
広帯域無線接続システムで動作する中継局（ＡＲＳ）において、
プロセッサと、
前記プロセッサの制御によって、外部と無線信号を送受信するための無線通信（ＲＦ）モジュールと、を含み、
前記プロセッサは、
基地局（ＡＢＳ）から受信される第１メッセージを通じて前記基地局システム情報の変更情報を獲得し、前記無線通信モジュールを制御して、前記第１メッセージの受信確認のための第２メッセージが前記基地局に伝送されるようにし、前記獲得した変更情報が適用されるように制御することを特徴とする、中継局。
（項目１２）
前記システム情報は、第１サブパケット、第２サブパケット及び第３サブパケットを含み、
前記変更情報は、
前記システム情報の変更カウントを指示する変更カウントフィールドと、前記各サブパケットの更新情報を含むか否かをそれぞれ１ビットで指示するビットマップフィールドと、前記ビットマップフィールドで‘１’に設定されたビットに対応するサブパケットの更新情報と、を含む、項目１１に記載の中継局。
（項目１３）
前記各サブパケットの更新情報は、
該当のサブパケットの更新情報が適用される時点をスーパーフレーム単位で指示するスーパーフレームナンバーアクション（Ｎｕｍｂｅｒ  Ａｃｔｉｏｎ）フィールドを含み、
前記変更情報を適用する段階は、
前記各サブパケット別に前記ナンバーアクションフィールドが指示する時点に行われることを特徴とする、項目１２に記載の中継局。
（項目１４）
前記第１メッセージは、
前記システム情報の変更がある度にイベントトリガー（ｅｖｅｎｔ−ｔｒｉｇｇｅｒｅｄ）方式によって前記基地局から伝送されることを特徴とする、項目１１に記載の中継局。
（項目１５）
前記第１メッセージは、中継局必須システム情報（ＲＳ＿ＥＳＩ）メッセージで、
前記第２メッセージは、メッセージ肯定応答（ＡＡＩ＿ＭＳＧ−ＡＣＫ）メッセージであることを特徴とする、項目１１に記載の中継局。
【国際調査報告】
2013502871.tif 000019
2013502871.tif 000020